(57)【要約】【課題】画像形成装置およびサーバの処理の負担を増加させることなく、画像形成装置の使用の制限が厳密に行う。【解決手段】１人または複数人のユーザによって構成されるグループごとに、画像形成装置の、許可する使用量である使用可能量を、サーバに記憶させておく。サーバは、ユーザが使用する画像形成装置に対して、そのユーザのグループの使用可能量の一部または全部を、割当使用可能量として割り当てる。画像形成装置は、ユーザが実行を指令したジョブを、サーバから割り当てられた、そのユーザのグループの割当使用可能量の範囲内で実行する。そして、ジョブの実行を完了した後、そのジョブの実行を指令したユーザが指令した実行待ちの他のジョブまたはそのグループの他のユーザが指令した実行待ちの他のジョブが１つもその画像形成装置自身に残っていない場合は、そのグループの未消費の割当使用可能量をサーバに返却する。【選択図】図１５
2008140068.tif 000002
【特許請求の範囲】
【請求項１】
複数人のユーザによって共用される画像形成装置の使用の制限を行う画像形成装置使用制限方法であって、
１人または複数人のユーザによって構成されるグループごとに、当該グループに対して許可する、前記画像形成装置の使用量である使用可能量を、サーバに記憶させておき、
前記サーバは、
ユーザが使用する前記画像形成装置に対して、当該ユーザが所属する前記グループの前記使用可能量の一部または全部を、割当使用可能量として割り当て、
前記画像形成装置は、
ユーザが実行を指令したジョブを、前記サーバから割り当てられた、当該ユーザが所属する前記グループの前記割当使用可能量の範囲内で実行し、
ジョブの実行を完了した後、当該ジョブの実行を指令したユーザが指令した実行待ちの他のジョブまたは当該ユーザと同一の前記グループに所属する他のユーザが指令した実行待ちの他のジョブが１つも当該画像形成装置に残っていない場合は、前記サーバから割り当てられた前記割当使用可能量と当該グループのユーザが当該画像形成装置を使用した量との差である未消費割当使用可能量を前記サーバに返却する、
ことを特徴とする画像形成装置使用制限方法。
【請求項２】
前記画像形成装置は、ジョブの実行を完了した後、当該ジョブの実行を指令したユーザが指令した実行待ちの他のジョブまたは当該ユーザと同一の前記グループに所属する他のユーザが指令した実行待ちの他のジョブが１つも当該画像形成装置に残っておらず、かつ、当該ジョブの実行を完了した後所定の時間を経過しても当該ユーザまたは当該他のユーザが当該画像形成装置に対して新たなジョブを指定しまたは当該画像形成装置にログインしなかった場合に、前記未消費割当使用可能量を返却する、
請求項１記載の画像形成装置使用制限方法。
【請求項３】
ジョブがキャンセルされた後、当該ジョブの実行を指令したユーザが指令した実行待ちの他のジョブまたは当該ユーザと同一の前記グループに所属する他のユーザが指令した実行待ちの他のジョブが１つも当該画像形成装置に残っていない場合は、前記サーバから割り当てられた前記割当使用可能量と当該グループのユーザが当該画像形成装置を使用した量との差である未消費割当使用可能量を前記サーバに返却する、
請求項１記載の画像形成装置使用制限方法。
【請求項４】
前記画像形成装置は、ジョブがキャンセルされた後、当該ジョブの実行を指令したユーザが指令した実行待ちの他のジョブまたは当該ユーザと同一の前記グループに所属する他のユーザが指令した実行待ちの他のジョブが１つも当該画像形成装置に残っておらず、かつ、当該ジョブがキャンセルされた後所定の時間を経過しても当該ユーザまたは当該他のユーザが当該画像形成装置に対して新たなジョブを指定しまたは当該画像形成装置にログインしなかった場合に、前記未消費割当使用可能量を返却する、
請求項３記載の画像形成装置使用制限方法。
【請求項５】
複数台の画像形成装置と、前記画像形成装置の使用を一元的に管理するサーバと、が設けられ、
前記サーバは、
１人または複数人のユーザによって構成されるグループごとに、当該グループに対して許可する、前記画像形成装置の使用量である使用可能量を記憶する、使用可能量記憶手段と、
ユーザが使用する前記画像形成装置に対して、当該ユーザが所属する前記グループの前記使用可能量の一部または全部を、割当使用可能量として割り当てる、使用可能量割当手段と、を有し、
前記画像形成装置は、
ユーザが実行を指令したジョブを、前記サーバから割り当てられた、当該ユーザが所属する前記グループの前記割当使用可能量の範囲内で実行する、ジョブ実行手段と、
前記ジョブ実行手段によってジョブの実行を完了した後、当該ジョブの実行を指令したユーザが指令した実行待ちの他のジョブまたは当該ユーザと同一の前記グループに所属する他のユーザが指令した実行待ちの他のジョブが１つも当該画像形成装置に残っていない場合は、前記サーバから割り当てられた前記割当使用可能量と当該グループのユーザが当該画像形成装置を使用した量との差である未消費割当使用可能量を前記サーバに返却する、未消費割当使用可能量返却手段と、を有する、
ことを特徴とする画像処理システム。
【発明の詳細な説明】
【技術分野】
【０００１】
本発明は、ＭＦＰなどの画像形成装置の使用の制限の方法および当該画像形成装置を含む画像処理システムに関する。
【背景技術】
【０００２】
近年、ＭＦＰ（Multi Function Peripherals）または複合機などと呼ばれる、コピー、スキャナ、ファックス、ＰＣプリント、ボックス、およびファイル転送などの様々な機能を集約した画像形成装置が役所または企業などの組織に普及している。
【０００３】
役所または企業などの組織では、省エネルギーおよび経費の節減などに鑑み、従業員による画像形成装置の使用を管理することが求められている。そこで、特許文献１、２に記載されるような方法で、使用の管理を行うことが考えられる。
【０００４】
特許文献１に記載される方法によると、複数台の複合機によって構成されるネットワークにサーバを設ける。サーバは、複合機から受信したユーザ情報を登録する。複合機は、認証されたユーザの指示による処理を実行して、このユーザのユーザＩＤ、管理項目ＩＤ、カウント値、複合機ＩＤのデータをサーバに送信する。サーバは、受信した管理項目ごとのカウント値を予め記憶しているカウント値累計値に加算する。また、サーバは、カウント値累計値が警告値以上、制限値未満の場合には警告画面を表示させるための指示データを複合機に送信し、カウント値累計値が制限値に達した場合には、利用制限画面を表示させるための指示データを複合機に送信するとともに、機能制限データを複合機に送信してユーザによる複合機の使用を禁止する。
【０００５】
この方法によると、複合機の利用内容をユーザにリアルタイムで通知するとともに、利用内容に基づいて複合機の適切な資材管理を行うことができる。
【０００６】
特許文献２に記載される方法によると、所定の画像処理を行う画像処理装置に対して要求されるＩＤが付加されるジョブの実行に伴う画像出力状態をＩＤ別に管理可能なジョブ管理装置において、ＩＤ別に設定される上限カウント値、カウントされる現在のカウント値、予約される予約カウント値を管理しておき、後続のジョブの登録要求時に、ＩＤ別に管理される現在のカウント値と前記予約カウント値との加算結果と上限カウント値とに基づき、後続する同一ＩＤが付加されているジョブの登録を取り消し制御する。
【特許文献１】特開２００４−７０７０８号公報
【特許文献２】特開２００４−１５２１３９号公報
【発明の開示】
【発明が解決しようとする課題】
【０００７】
ところで、役所または企業などの組織では、画像形成装置の使用量を、複数人の従業員（ユーザ）からなるグループ（部、課、または係などの部門）の単位で管理することが多い。単に使用の実績の統計を取るだけでなく、予め、所定の期間中にグループに対して使用を許可する使用量（以下、「使用可能量」と記載する。）を決めておくことが、重要である。また、使用可能量を管理するために、サーバが用いられる。特に、複数台の画像形成装置の使用可能量を一元的に管理する場合は、サーバを用いるのが便利である。
【０００８】
画像形成装置の使用の制限を厳密に行うためには、画像形成装置の使用の実績をできるだけこまめにサーバに報告が行われるように構成するのが、望ましい。例えば、１つまたは複数のジョブを実行した後で報告を行うよりも、ジョブの実行中に１ページの印刷を行うごとに報告を行うほうが、厳密性のみを求めるのであれば、望ましい。
【０００９】
ところが、報告がこまめになればなるほど、画像形成装置およびサーバの処理の負担が増加し、両装置のパフォーマンスが低下する。また、通信のトラフィックも増加する。しかし、従来の方法では、このような問題点を解決することはできない。
【００１０】
本発明は、このような問題点に鑑み、画像形成装置およびサーバの処理の負担を増加させることなく、画像形成装置の使用の制限が厳密に行われるようにすることを、目的とする。
【課題を解決するための手段】
【００１１】
本発明に係る画像形成装置使用制限方法は、複数人のユーザによって共用される画像形成装置の使用の制限を行う画像形成装置使用制限方法であって、１人または複数人のユーザによって構成されるグループごとに、当該グループに対して許可する、前記画像形成装置の使用量である使用可能量を、サーバに記憶させておき、前記サーバは、ユーザが使用している前記画像形成装置に対して、当該ユーザが所属する前記グループの前記使用可能量の一部または全部を、割当使用可能量として割り当て、前記画像形成装置は、ユーザが実行を指令したジョブを、前記サーバから割り当てられた、当該ユーザが所属する前記グループの前記割当使用可能量の範囲内で実行し、ジョブの実行を完了した後、当該ジョブの実行を指令したユーザが指令した実行待ちの他のジョブまたは当該ユーザと同一の前記グループに所属する他のユーザが指令した実行待ちの他のジョブが１つも当該画像形成装置に残っていない場合は、前記サーバから割り当てられた前記割当使用可能量と当該グループのユーザが当該画像形成装置を使用した量との差である未消費割当使用可能量を前記サーバに返却する、ことを特徴とする。
【００１２】
前記使用可能量は、前記画像形成装置に処理させることによって得られる印刷物または複写物の枚数、前記画像形成装置に処理させるデータのサイズ、または前記画像形成装置の使用時間などによって定義することができる。
【発明の効果】
【００１３】
本発明によると、画像形成装置およびサーバの処理の負担を増加させることなく、画像形成装置の使用の制限が厳密に行われるようにすることができる。
【発明を実施するための最良の形態】
【００１４】
図１は画像処理システムＧＳＳの全体的な構成の例を示す図、図２は画像形成装置１のハードウェア構成の例を示す図、図３は画像形成装置１の機能的構成の例を示す図、図４は中間認証サーバ２の機能的構成の例を示す図、図５はユーザアカウントデータベースＤＳＡの例を示す図である。
【００１５】
画像処理システムＧＳＳは、図１に示すように、複数台の画像形成装置１（１Ａ、１Ｂ、…）、１台の中間認証サーバ２、１台の汎用認証サーバ３、１台または複数台のパーソナルコンピュータ４、および通信回線５などによって構成される。
【００１６】
各画像形成装置１、中間認証サーバ２、汎用認証サーバ３、および各パーソナルコンピュータ４は、通信回線５を介して互いに接続可能である。これらの装置は、適宜互いに連携し、後に順次説明する種々の処理を行う。
【００１７】
以下、複数の部門（部署）を有する企業に画像処理システムＧＳＳが構築され使用される場合を例に説明する。したがって、画像処理システムＧＳＳのユーザは、この企業の従業員である。また、説明の簡単のため、原稿のコピーは、片面コピーであるものとする。また、他の印刷の処理においても、用紙の片面のみに印刷を行い、両面には印刷しないものとする。
【００１８】
画像形成装置１は、コピー、スキャン、ファックス送信、ファックス受信、ＰＣプリント、スキャン送信、およびボックスなどの様々な機能を集約した画像処理装置である。複合機またはＭＦＰ（Multi Function Peripherals）などと呼ばれることもある。
【００１９】
「ＰＣプリント機能」は、画像データをパーソナルコンピュータ４から受信して画像を用紙に印刷する機能である。「ネットワークプリンタ機能」または「ネットワークプリンティング機能」などと呼ばれることもある。
【００２０】
「スキャン送信機能」は、スキャナで読み取った原稿の画像の画像データを、ＴＣＰ／ＩＰおよびそれに関連するプロトコル（電子メールまたはＦＴＰなど）に基づいて、ユーザが指定した装置に送信する機能である。この機能は、画像データの送信方法によって、「ＳＣＡＮ−ＴＯ−ＥＭａｉｌ」または「ＳＣＡＮ−ＴＯ−ＦＴＰ」などと呼ばれることもある。
【００２１】
「ボックス機能」は、ユーザごとに「ボックス」または「パーソナルボックス」などと呼ばれる、パーソナルコンピュータにおけるフォルダまたはディレクトリなどに相当する記憶領域を与えておき、ユーザが自分の記憶領域に画像ファイルなどのドキュメントデータを保存しておくことができるようにする機能である。「ドキュメントサーバ機能」と呼ばれることもある。
【００２２】
画像形成装置１は、図２に示すように、ＣＰＵ１０ａ、ＲＡＭ１０ｂ、ＲＯＭ１０ｃ、ハードディスク１０ｄ、操作パネル１０ｅ、スキャナユニット１０ｆ、印刷ユニット１０ｇ、ＮＩＣ（Network Interface Card）１０ｈ、モデム１０ｉ、その他種々の回路などによって構成される。
【００２３】
操作パネル１０ｅは、ユーザに対してメッセージまたは指示を与えるための画面、ユーザが所望するジョブの種類およびその処理条件を入力するための画面、およびＣＰＵ１０ａで実行された処理の結果を示す画面などを表示する。また、ユーザは、操作パネル１０ｅの所定の位置に触れることによって画像形成装置１に対してジョブの実行またはキャンセルの指令を与えたり処理条件の指定を行ったりすることができる。このように、操作パネル１０ｅは、画像形成装置１を操作するユーザのユーザインタフェースの役割を果たしている。
【００２４】
スキャナユニット１０ｆは、用紙に記されている、文書、数式、記号、写真、図表、またはイラストなどからなる原稿の画像を、光学的に読み取って画像データを生成する。
【００２５】
印刷ユニット１０ｇは、スキャナユニット１０ｆで得られた画像データまたはパーソナルコンピュータなどから送信されてきた印刷ジョブに基づいて形成される画像を用紙に印刷する。
【００２６】
ＮＩＣ１０ｈは、他の装置を相手にＴＣＰ／ＩＰなどのプロトコルによってデータ通信を行うためのインタフェースである。モデム１０ｉは、画像処理システムＧＳＳの外部のＦＡＸ端末を相手にＧ３またはＧ４などのＦＡＸプロトコルによって公衆回線を介してデータ通信を行うためのインタフェースである。
【００２７】
ハードディスク１０ｄまたはＲＯＭ１０ｃには、図３に示すようなユーザＩＤ等受付部１０１、ユーザＩＤ等送信部１０２、使用可能量割当要求部１０３、使用可能量受信部１０４、ジョブ指令受付部１０５、アクセス権問合せ部１０６、ジョブ実行可否判別部１０７、ジョブ実行制御部１０８、残余使用可能量返却部１０９、割当カウンタ記憶部１２１、および待機ジョブ記憶部１２２などの機能を実現するためのアプリケーションがインストールされている。これらのプログラムおよびデータは、必要に応じてＲＡＭ１０ｂにロードされ、ＣＰＵ１０ａによってプログラムが実行される。
【００２８】
図１に戻って、中間認証サーバ２は、どのユーザに対して画像形成装置１のどの種類のジョブを実行させることを認めるのか（つまり、ユーザごとのアクセス権）を示すデータおよびどの部門に属するユーザに対して画像形成装置１をどれくらいの量使用させるのを認めるのか（つまり、許可する使用量）を示すデータなどを管理する。さらに、後に説明する汎用認証サーバ３に対して、いずれかの画像形成装置１を使用しようとしているユーザのユーザ認証を行うように要求する。すなわち、中間認証サーバ２は、画像処理システムＧＳＳに設けられている画像形成装置１の使用に関する管理を一元的に行う。
【００２９】
中間認証サーバ２のハードディスクには、図４に示すようなユーザＩＤ等受信部２０１、ユーザ認証要求部２０２、認証結果中継部２０３、割当要求受付部２０４、使用可能量割当部２０５、アクセス権回答部２０６、残余使用許可量受信部２０７、アクセス権記憶部２１１、全体カウンタ記憶部２１２、および割当規定量記憶部２１３などの機能を実現するためのプログラムおよびデータがインストールされている。これらのプログラムおよびデータは、必要に応じてＲＡＭにロードされ、ＣＰＵによってプログラムが実行される。中間認証サーバ２として、いわゆるサーバ機またはワークステーションなどが用いられる。
【００３０】
汎用認証サーバ３は、各ユーザに１つずつ与えているユーザアカウントの管理およびユーザ認証を一元的に行う。
【００３１】
具体的には、汎用認証サーバ３は、図５に示すような、ユーザごとに、ユーザＩＤ、ユーザ名、パスワード、所属する部門の部門ＩＤ、およびその名称（部門名）などを示すユーザアカウントデータ７Ａを格納したユーザアカウントデータベースＤＳＡを有する。そして、中間認証サーバ２からの要求に応じてユーザ認証の処理を行う。
【００３２】
汎用認証サーバ３として、マイクロソフト社のアクティブディレクトリ（Active Directory）またはノベル社のＮＤＳ（Novell Directory Service）などのディレクトリサービスを提供する既存のサーバを用いることができる。
【００３３】
パーソナルコンピュータ４には、文章作成用のアプリケーションまたは画像作成用のアプリケーションなどのアプリケーションのほか、画像形成装置１を制御するためのドライバがインストールされている。
【００３４】
ユーザは、画像形成装置１にジョブを実行させるなどして画像形成装置１を使用することができる。ジョブの実行の指令は、画像形成装置１を直接操作することによって行うことができるが、パーソナルコンピュータ４を操作することによって遠隔的に行うこともできる。ただし、所定のアクセス権および使用量の範囲内でしか画像形成装置１を使用することはできない。これについては、後に説明する。
【００３５】
図６はアクセス権データ７Ｂの例を示す図、図７はカウンタデータ７Ｃの例を示す図、図８はジョブデータ７Ｆの例を示す図、図９は割当カウンタデータ７Ｄの例を示す図、図１０は割当規定量データ７Ｅの例を示す図、図１１はカウンタ値返却処理の流れの例を説明するフローチャートである。
【００３６】
次に、図３に示す画像形成装置１の各部および図４に示す中間認証サーバ２の各部の処理内容などについて、詳細に説明する。
【００３７】
図３において、画像形成装置１のユーザＩＤ等受付部１０１は、その画像形成装置１をこれから使用することを所望するユーザのユーザＩＤおよびパスワードを入力するように要求する画面を操作パネル１０ｅに表示させる。そして、ここでユーザが入力したユーザＩＤおよびパスワードを受け付ける。
【００３８】
ただし、ユーザがパーソナルコンピュータ４によって遠隔的にその画像形成装置１を使用する場合は、ユーザがそのパーソナルコンピュータ４に対して入力したユーザＩＤおよびパスワードを、通信回線５を介して受け付ける。
【００３９】
そのほか、画像形成装置１は、ユーザＩＤおよびパスワードとともに、ユーザが所属する部門の部門ＩＤを入力させる。
【００４０】
ユーザＩＤ等送信部１０２は、中間認証サーバ２に対して、ユーザＩＤ等受付部１０１によって受け付けられたユーザＩＤおよびパスワードを送信する。これにより、その画像形成装置１を使用しようとしているユーザのユーザ認証の要求が、中間認証サーバ２に対してなされる。
【００４１】
図４において、中間認証サーバ２のユーザＩＤ等受信部２０１は、画像形成装置１からユーザＩＤおよびパスワードを受信する。これにより、ユーザ認証の要求が受け付けられる。
【００４２】
ユーザ認証要求部２０２は、ユーザＩＤ等受信部２０１が受信したユーザＩＤおよびパスワードを汎用認証サーバ３に送信することによって、その画像形成装置１を使用しようとしているユーザのユーザ認証を行うように要求する。
【００４３】
すると、汎用認証サーバ３において、そのユーザＩＤおよびパスワードおよびユーザアカウントデータベースＤＳＡに基づいて従来通りの方法でユーザ認証が行われる。そして、その結果が汎用認証サーバ３から中間認証サーバ２に返信される。
【００４４】
中間認証サーバ２の認証結果中継部２０３は、汎用認証サーバ３によるユーザ認証の結果を受信し、要求元の画像形成装置１に送信する。つまり、ユーザ認証の結果を中継する。
【００４５】
このように、中間認証サーバ２は、画像形成装置１のユーザのユーザ認証を汎用認証サーバ３に実行させるための仲介を担う。
【００４６】
そして、中間認証サーバ２は、正しいユーザである旨の結果が得られた場合は、その画像形成装置１を使用しようとしているユーザを画像形成装置１にログインさせ、ログアウトするまでの間、所定の範囲内でその画像形成装置１を使用することを認める。
【００４７】
なお、画像形成装置１は、同時期に複数のユーザのログインを認める。したがって、複数のユーザが操作パネル１０ｅまたは中間認証サーバ２を操作することによって同時期に画像形成装置１を使用することができる。
【００４８】
中間認証サーバ２のアクセス権記憶部２１１は、各ユーザのアクセス権に関する情報を記憶している。具体的には、図６に示すように、画像形成装置１に備えられている機能ごとの使用の許否および色に関する処理条件ごとの指定の許否を示すデータを、ユーザごとに記憶している。以下、このデータを「アクセス権データ７Ｂ」と記載する。
【００４９】
アクセス権データ７Ｂにおいて、「ユーザＩＤ」フィールドはそのアクセス権データ７Ｂが与えられているユーザのユーザＩＤを示す。
【００５０】
「コピー」ないし「蓄積」の各フィールドは、画像形成装置１に設けられている機能の使用の許否を示す。
【００５１】
すなわち、「コピー」フィールドは、原稿に記されている画像をスキャナユニット１０ｆによって読み取って印刷ユニット１０ｇによって用紙に印刷する機能つまりコピー機能の使用の許否を示す。そのフィールドの値が「○」であれば、ユーザに対してコピー機能の使用を原則として許可することを意味し、「×」であればコピー機能の使用を禁止することを意味する。他の機能に係るフィールドの値の意味も、同様であり、「○」であればその機能の使用を原則として許可することを意味し、「×」であればその機能の使用を禁止することを意味する。
【００５２】
「ＰＣプリント」フィールドは、パーソナルコンピュータ４に保存されている画像データを画像形成装置１に送信し画像形成装置１の印刷ユニット１０ｇによってその画像データに基づいて画像を用紙に印刷する機能つまりＰＣプリントの使用の許否を示す。
【００５３】
「スキャン送信」フィールドは、画像形成装置１のスキャナユニット１０ｆによって読み取った原稿の画像の画像データを、ＴＣＰ／ＩＰおよびそれに関連するプロトコルに基づいて、ユーザの指定した他の装置に送信する機能の使用の許否を示す。つまり、スキャン送信機能の使用の許否を示す。例えば、画像データを、電子メールのプロトコルに基づいて、ユーザの指定した電子メールアドレスに宛てて送信する。または、ＦＴＰ（File Transfer Protocol）に基づいて、ユーザの指定したＩＰアドレスを有するパーソナルコンピュータ４に送信する。
【００５４】
「ファックス送信」フィールドは、画像形成装置１のスキャナユニット１０ｆによって読み取った原稿の画像の画像データをファックスプロトコルに基づいてユーザが指定したファックス端末に送信する機能つまりファックス送信機能の使用の許否を示す。
【００５５】
「送信データプリント」フィールドは、スキャン送信機能またはファックス送信機能などによって他の装置に送信した画像データに係る画像を印刷ユニット１０ｇによって用紙に印刷する機能の使用の許否を示す。以下、係る機能を「送信データプリント機能」と記載する。
【００５６】
「蓄積」フィールドは、パーソナルコンピュータ４またはファックス端末から送信されてきた画像データまたはスキャナユニット１０ｆによって得られた画像データなどをボックスに蓄積（保存）する機能つまりボックス機能の使用の許否を示す。
【００５７】
「カラー印字」および「モノクロ印字」の各フィールドは、コピー、ＰＣプリント、および送信データプリントの各機能を使用し画像を用紙に出力（印字、印刷）する際の色の条件の指定の許否に関する。
【００５８】
「カラー印字」フィールドは、これらの機能を使用する際にカラー（フルカラー、カラー２色刷り、またはカラー１色刷り）出力の指定を許可するか否かを示す。そのフィールドの値が「○」であれば原則として許可することを意味し、「×」であれば禁止することを意味する。「モノクロ印字」、「カラー送信」、および「モノクロ送信」の各フィールドの値の意味も、同様であって、「○」はその指定を原則として許可し、「×」はその指定を禁止することを意味する。
【００５９】
「モノクロ印字」フィールドは、これらの機能を使用する際にモノクロ出力の指定を許可するか否かを示す。
【００６０】
「カラー送信」および「モノクロ送信」の各フィールドは、スキャン送信またはファックス送信の各機能を使用し画像データを送信する際の色の条件の指定の許否に関する。
【００６１】
「カラー送信」フィールドは、これらの機能を使用する際に送信対象としてカラー画像の画像データを指定することを許可するか否かを示す。「モノクロ送信」フィールドは、これらの機能を使用する際に送信対象としてモノクロ画像の画像データを指定することを許可するか否かを示す。
【００６２】
アクセス権データ７Ｂの内容は、ユーザの仕事または役職などに応じて、画像処理システムＧＳＳの管理者によって任意に設定される。
【００６３】
図４に戻って、全体カウンタ記憶部２１２は、それぞれの部門に対して許可する、画像形成装置１の使用量に関する情報を記憶している。具体的には、全体カウンタ記憶部２１２は、図７に示すように、部門ごとにカウンタデータ７Ｃを記憶している。カウンタデータ７Ｃには、その部門を識別する部門ＩＤが対応付けられている。
【００６４】
カウンタデータ７Ｃは、画像形成装置１で実行される様々な処理ごとのカウンタを有する。図７の例では、２９の処理のためのカウンタを有する。
【００６５】
各カウンタには、今後、所定の期間の期末まで、その部門のメンバ（ユーザ）に対してどれくらいの量だけ、そのカウンタに係る処理を実行させることを許可するのかが、示されている。
【００６６】
そして、その部門のユーザが画像形成装置１に処理を実行させるごとに、その処理の量つまり画像形成装置１の使用量に応じて、その処理に係るカウンタの値がカウントダウンされる。値が「０」以下になると、その部門のユーザは誰も、そのカウンタに係る処理を実行させることができなくなる。カウントダウンの仕組みについては、後に詳しく説明する。
【００６７】
また、所定の期間が満了し、新たな所定の期間が開始するときに、各カウンタは、リセットされ、その新たな所定の期間にその部門のユーザに許可する使用量を格納する。この新たな使用量は、その部門の仕事および人数などに応じて決めればよい。または、前の所定の期間が満了した時点のカウンタに、新たに許可する使用量を加算してもよい。
【００６８】
各カウンタが何の処理に係るものであるかは、図中の「カウント内容」に説明する通りであるが、念の為に、幾つかのカウンタについて、ここで詳細に説明する。
【００６９】
カウンタタイプが［NumberOfOriginals］であるカウンタは、原稿の読取の枚数に関する。すなわち、このカウンタは、原稿の読取を画像形成装置１が行うのに応じて、その原稿の枚数を現在有する値からカウントダウンし、あと何枚の原稿の読取をその部門のユーザに認めるのかを示し直す。どの機能に基づいて行う読取であるかは、問わない。
【００７０】
カウンタタイプが［NumberOfPrints］であるカウンタは、用紙への印刷の枚数に関する。すなわち、このカウンタは、画像形成装置１が印刷を行うのに応じて、その印刷の枚数を現在有する値からカウントダウンし、あと何枚の印刷（印刷物の生成）をその部門のユーザに認めるのかを示し直す。どの機能に基づいて行う印刷であるかおよびその条件（用紙のサイズおよび印刷色の条件など）は、問わない。
【００７１】
カウンタタイプが［Copy.Total］であるカウンタは、コピー機能による印刷の枚数に関する。すなわち、このカウンタは、画像形成装置１がコピーを行うのに応じて、そのコピーの枚数を現在有する値からカウントダウンし、あと何枚のコピー（複写物の生成）をその部門のユーザに認めるのかを示し直す。コピー先の用紙のサイズおよび印刷色の条件は問わない。
【００７２】
カウンタタイプが［Copy.Total.Large］であるカウンタは、コピー機能による印刷のうち、特に、所定のサイズ以上（例えば、Ｂ４サイズ以上。以下、「大サイズ」と記載する。）の用紙への印刷の、枚数に関する。すなわち、このカウンタは、画像形成装置１が大サイズの用紙にコピーを行うのに応じて、そのコピーの枚数を現在有する値からカウントダウンし、大サイズの用紙へあと何枚のコピー（複写物の生成）を行うことをその部門のユーザに認めるのかを示し直す。印刷色の条件は問わない。
【００７３】
カウンタタイプが［Copy.Black］であるカウンタは、コピー機能による印刷のうち、特に、モノクロ印刷（モノクロコピー）の、枚数に関する。すなわち、このカウンタは、画像形成装置１がモノクロモードでコピーを行うのに応じて、そのコピーの枚数を現在有する値からカウントダウンし、あと何枚モノクロモードでコピー（複写物の生成）を行うことをその部門のユーザに認めるのかを示し直す。用紙のサイズの条件は問わない。
【００７４】
カウンタタイプが［Copy.Black.Large］であるカウンタは、コピー機能による印刷のうち、特に、大サイズの用紙へのモノクロ印刷（モノクロコピー）の、枚数に関する。すなわち、このカウンタは、画像形成装置１がモノクロモードで大サイズへの用紙にコピーを行うのに応じて、そのコピーの枚数を現在有する値からカウントダウンし、あと何枚モノクロモードで大サイズの用紙にコピーを行うことをその部門のユーザに認めるのかを示し直す。
【００７５】
そのほかにも、コピー機能による印刷に関するカウンタとして、印刷色、用紙のサイズ、またはその組合せに応じたカウンタが複数用意されている。
【００７６】
カウンタタイプが［Print.Total］であるカウンタは、ＰＣプリント機能または送信データプリント機能による印刷の枚数に関する。すなわち、このカウンタは、両機能のうちのいずれかに基づいて画像形成装置１が印刷を行うのに応じて、その印刷の枚数を現在有する値からカウントダウンし、両機能による印刷をあと何枚、その部門のユーザに認めるのかを示し直す。
【００７７】
そのほかにも、上に説明した［Copy.〜］のカウンタと同様、ＰＣプリント機能または送信データプリント機能による印刷に関するカウンタとして、印刷色、用紙のサイズ、またはその組合せに応じたカウンタが複数用意されている。
【００７８】
カウンタタイプが［ScanFax.Print］であるカウンタは、ファックス送信機能またはスキャン送信機能によって他の装置に送信された画像データのうちボックスにバックアップ（保存、蓄積）しておいた画像データによる印刷および他の装置から送信されたきた画像データによる印刷（例えば、ファックス受信に伴う印刷）の枚数に関する。すなわち、このカウンタは、ボックスにバックアップされている画像データまたは他の装置から送信されてきた画像データを用いて画像形成装置１が印刷を行うのに応じて、その印刷の枚数を現在有する値からカウントダウンし、これらの種類の画像データを用いてあと何枚の印刷をその部門のユーザに認めるのかを示し直す。用紙のサイズおよび印刷色の条件などは、問わない。
【００７９】
カウンタタイプが［ScanFax.Scans］であるカウンタは、ファックス送信機能またはスキャン送信機能によって他の装置に画像データを送信するために行う原稿の読取の枚数に関する。すなわち、このカウンタは、ファックス送信機能またはスキャン送信機能に伴って画像形成装置１が原稿の読取を行うのに応じて、その原稿の枚数を現在有する値からカウントダウンし、ファックス送信機能またはスキャン送信機能に伴う原稿の読取をあと何枚その部門のユーザに認めるのかを示し直す。原稿の用紙のサイズは、問わない。
【００８０】
カウンタタイプが［FAX.TX］であるカウンタは、ファックス送信の枚数に関する。すなわち、このカウンタは、画像形成装置１がファックス送信を行うのに応じて、そのファックス送信の枚数を現在有する値からカウントダウンし、あと何枚のファックス送信をその部門のユーザに認めるのかを示し直す。
【００８１】
カウンタタイプが［Color Total］であるカウンタは、カラー印刷（フルカラー印刷、カラー２色刷り印刷、またはカラー１色刷り印刷）の枚数に関する。すなわち、このカウンタは、画像形成装置１がカラー印刷を行うのに応じて、そのカラー印刷の枚数を現在有する値からカウントダウンし、あと何枚のカラー印刷をその部門のユーザに認めるのかを示し直す。どの機能に基づいて行うカラー印刷であるかおよび用紙のサイズは、問わない。
【００８２】
カウンタタイプが［B&W Total］であるカウンタは、モノクロ印刷の枚数に関する。すなわち、このカウンタは、画像形成装置１がモノクロ印刷を行うのに応じて、そのモノクロ印刷の枚数を現在有する値からカウントダウンし、あと何枚のモノクロ印刷をその部門のユーザに認めるのかを示し直す。どの機能に基づいて行うモノクロ印刷であるかおよび用紙のサイズは、問わない。
【００８３】
以上説明したように、カウンタデータ７Ｃは、これから先、所定の期日までに、その部門のユーザに対して使用を許可し得る、画像形成装置１の使用量を示している。以下、この使用量を「使用可能量」と記載する。
【００８４】
ユーザは、自分の所属する部門のカウンタデータ７Ｃに示される使用可能量の一部または全部が画像形成装置１に割り当てられ確保されていなければ、その画像形成装置１を使用することができない。また、ユーザは、その画像形成装置１に確保されている使用可能量の範囲でしか、その画像形成装置１を使用することができない。
【００８５】
図３において、ジョブ指令受付部１０５は、ユーザが所望するジョブの実行の指令およびそのジョブの実行条件（印刷に用いる色をフルカラー、カラー２色、カラー１色、およびモノクロのうちのいずれにするか、送信する画像データをカラー画像およびモノクロ画像のうちのいずれの画像データにするか、など）の指定を受け付ける。ジョブの実行の指令および実行条件の指定は、操作パネル１０ｅによって画像形成装置１に直接なされる場合もあれば、パーソナルコンピュータ４によって遠隔的になされる場合もある。
【００８６】
待機ジョブ記憶部１２２は、図８に示すように、ジョブ指令受付部１０５によって受け付けられたジョブのデータ（以下、「ジョブデータ７Ｆ」と記載する。）を記憶する。
【００８７】
ジョブデータ７Ｆには、そのジョブに係る処理の対象である画像の画像データおよびその実行条件（処理条件）に関するデータのほか、そのジョブを他のジョブと識別するためのジョブＩＤ、そのジョブの種類、そのジョブの指令元のユーザのユーザＩＤ、そのユーザが所属する部門の部門ＩＤ、および指令を受け付けた日時などを示す情報が含まれている。ジョブの実行のタイミングなどについては、後に説明する。
【００８８】
割当カウンタ記憶部１２１は、その画像形成装置１に割り当てられ確保されている使用可能量に関する情報を記憶する。具体的には、図９に示すように、部門ごとの割当カウンタデータ７Ｄを、記憶している。
【００８９】
割当カウンタデータ７Ｄには、前に図７で説明した２９の処理それぞれに対応するカウンタ（以下、「割当カウンタ」と記載する。）を有する。各割当カウンタには、その画像形成装置１を使用する、その割当カウンタデータ７Ｄに係る部門のユーザに対して、どれくらいの量だけ、その割当カウンタに係る処理を実行させることが許可されているのかが、示されている。
【００９０】
そして、そのユーザが画像形成装置１に処理を実行させるごとに、その処理の量つまりその画像形成装置１の使用量に応じて、その割当カウンタの値がカウントダウンされる。値が「０」以下になると、そのユーザはその画像形成装置１にその割当カウンタに係る処理を実行させることができなくなる。
【００９１】
割当カウンタデータ７Ｄに示される２９の割当カウンタに係る各処理は、図７のカウンタデータ７Ｃに示される２９の各処理に対応し、同じ意味を有する。各割当カウンタデータ７Ｄの各割当カウンタの初期値は、すべて「０」である。
【００９２】
なお、画像形成装置１が行う１つのジョブに、複数の処理が含まれる場合がある。例えば、コピーのジョブには、少なくともスキャンおよび印刷の２つの処理が含まれる。また、１つの処理が、図９に示す割当カウンタそれぞれに係る処理のうちの複数に該当する場合がある。例えば、大サイズの用紙へのフルカラーによるコピーのジョブにはスキャンおよび印刷の２つの処理が含まれている。そのうち、スキャンの処理は［NumberOfOriginals］の割当カウンタに係る１つの処理にしか該当しないが、印刷の処理は、［NumberOfPrints］、［Copy.Total］、［Copy.Total.Large］、［Copy.FullColor］、［Copy.FullColor.Large］、および［Color Total］の各割当カウンタに係る処理つまり６つの処理に該当する。この場合は、該当する割当カウンタのすべてが、画像形成装置１が行った処理に応じてカウントダウンを行う。したがって、５ページの原稿を大サイズの用紙にフルカラーで３部コピーした場合は、［NumberOfOriginals］の割当カウンタは「５」をカウントダウンし、残りの６つの各割当カウンタは「１５」をカウントダウンする。
【００９３】
使用可能量割当要求部１０３は、使用可能量をその画像形成装置１に割り当てるべき旨の要求を、中間認証サーバ２に対して行う。係る要求は、次のような方法で行われる。
【００９４】
ジョブ指令受付部１０５によってジョブの実行の指令が受け付けられると、使用可能量割当要求部１０３は、そのジョブの指令者であるユーザの所属する部門をチェックし、その部門の割当カウンタデータ７Ｄに示される現在の使用可能量をチェックする。そして、チェックした使用可能量が所定の量以下である場合は、その部門の使用可能量を割り当てるように、中間認証サーバ２に対して要求する。
【００９５】
または、ジョブを実行するために必要な使用可能量が不足していると、後述するジョブ実行可否判別部１０７によって判別された場合に、そのジョブの指令者の所属する部門をチェックする。そして、その部門の使用可能量を割り当てるように、中間認証サーバ２に対して要求する。
【００９６】
または、ジョブを実行している途中で使用可能量が不足したら、そのジョブの指令者の所属する部門をチェックする。そして、その部門の使用可能量を割り当てるように、中間認証サーバ２に対して要求する。
【００９７】
図４において、中間認証サーバ２の割当要求受付部２０４は、画像形成装置１からの、特定の部門の使用可能量の割当の要求を受け付ける。使用可能量割当部２０５は、その要求にその画像形成装置１に対して、その部門のカウンタデータ７Ｃに示される使用可能量の一部または全部を割り当てる処理を行う。係る処理は、原則として、割当規定量記憶部２１３に記憶されている割当規定量データ７Ｅに基づく。
【００９８】
ここで、この割当規定量データ７Ｅについて説明する。割当規定量データ７Ｅは、図１０に示すように、画像形成装置１ごとに１つずつ割当規定量記憶部２１３に記憶されている。
【００９９】
割当規定量データ７Ｅには、その画像形成装置１からの１回の要求に対して、前に図７で説明した２９の処理それぞれについて、どれくらいの使用可能量を割り当てる（与える）のかが、示されている。
【０１００】
割当規定量データ７Ｅに示される２９の各処理は、図７のカウンタデータ７Ｃに示される２９の各処理と対応し、同じ意味を有する。
【０１０１】
割当規定量データ７Ｅは、画像形成装置１の処理速度に応じて設定すればよい。例えば、印刷速度の速い画像形成装置１の割当規定量データ７Ｅについては、印刷に関する処理の使用可能量を、印刷速度の遅い画像形成装置１のそれよりも、多くなるように設定する。
【０１０２】
使用可能量割当部２０５の説明に戻って、使用可能量割当部２０５は、要求元の画像形成装置１の割当規定量データ７Ｅに示される分の、特定の部門の使用可能量を、その画像形成装置１に対して割り当てる。この際に、その使用可能量およびその部門の部門ＩＤを示す使用可能量割当データ８Ａをその画像形成装置１に対して送信するとともに、全体カウンタ記憶部２１２に記憶されているその部門のカウンタデータ７Ｃの各カウンタから係る使用可能量をカウントダウンする。
【０１０３】
画像形成装置１の使用可能量受信部１０４は、中間認証サーバ２からの使用可能量割当データ８Ａを受信する。そして、その使用可能量割当データ８Ａに示される各使用可能量を、割当カウンタ記憶部１２１に記憶されている、その使用可能量割当データ８Ａに示される部門ＩＤの割当カウンタデータ７Ｄの対応する各割当カウンタに加算する。
【０１０４】
これにより、中間認証サーバ２で一元的に管理されている、その部門の使用可能量の一部または全部が、画像形成装置１に割り当てられる。
【０１０５】
ただし、中間認証サーバ２の使用可能量割当部２０５は、カウンタデータ７Ｃのいずれかのカウンタに係る使用可能量が残っていない場合は、割当を中止する。または、残っている分だけを割り当てる。
【０１０６】
ジョブ実行制御部１０８は、待機ジョブ記憶部１２２に記憶されているジョブデータ７Ｆに基づいてジョブが実行されるように、従来通りに各ハードウェアおよびソフトウェアを制御する。原則として、受け付けられた日時の古い順に、ジョブを実行させる。
【０１０７】
そして、ジョブに含まれる処理を実行するごとに、そのジョブの指令者が所属する部門の割当カウンタデータ７Ｄの、その処理に対応する割当カウンタが、カウントダウンを行う。
【０１０８】
ただし、ジョブを実行させる前に、そのジョブを実行してもよいか否かを判別する処理を、次に説明するアクセス権問合せ部１０６およびジョブ実行可否判別部１０７に実行させる。そして、実行してもよいと判別された場合に、そのジョブを実行させる。一方、実行することが認められないと判別された場合は、そのジョブをキャンセルし、そのジョブのジョブデータ７Ｆを待機ジョブ記憶部１２２から削除する。
【０１０９】
アクセス権問合せ部１０６は、ジョブ実行制御部１０８が実行しようとしているジョブを、そのジョブのジョブデータ７Ｆに示される処理条件（実行条件）で実行させるためのアクセス権が、そのジョブの指令者に与えられているか否かを、中間認証サーバ２に対して問い合わせる。
【０１１０】
すると、中間認証サーバ２のアクセス権回答部２０６は、そのようなアクセス権がそのユーザに与えられているか否かを、そのユーザのアクセス権データ７Ｂ（図６参照）に基づいて判別する。そして、その結果を問合せ元の画像形成装置１に対して回答する。
【０１１１】
例えば、ユーザがコピーのジョブの実行の指令を与えかつ実行条件としてフルカラーを指定している場合は、アクセス権回答部２０６は、そのユーザのアクセス権データ７Ｂの「コピー」フィールドの値が「○」でありかつ「カラー印字」フィールドの値が「○」であれば、アクセス権が与えられていると判別し、その旨を回答する。いずれか一方でも「×」であれば、アクセス権が与えられていないと判別し、その旨を回答する。
【０１１２】
ジョブ実行可否判別部１０７は、ジョブを実行してもよいか否かを、次の（要件１）および（要件２）を満たしているか否かによって判別する。
（要件１）  アクセス権問合せ部１０６による問合せの結果、そのジョブを実行するためのアクセス権が、指令者であるユーザに対して与えられている旨の回答が中間認証サーバ２から得られたこと。
（要件２）  割当カウンタ記憶部１２１に記憶されている、そのユーザが所属する部門の割当カウンタデータ７Ｄの割当カウンタのうち、そのジョブに伴う処理に係る割当カウンタの値が１つも「０」以下になっていないこと。
【０１１３】
例えば、ユーザの指令に係るジョブがコピージョブでありユーザの指令に係る条件が大サイズの用紙にフルカラーでコピーすることである場合に、（要件２）を満たすためには、［NumberOfOriginals］、［NumberOfPrints］、［Copy.Total］、［Copy.Total.Large］、［Copy.FullColor］、［Copy.FullColor.Large］、および［Color Total］の各割当カウンタが１つも「０」以下になっていないことが、必要とされる。
【０１１４】
両方の要件を満たしている場合にのみ、そのジョブを実行してもよいと判別し、いずれか一方でも満たしていない場合は、実行することが認められないと判別する。
【０１１５】
ただし、前に述べたように、（要件２）を満たさない場合は、使用可能量割当要求部１０３によって、使用可能量を割り当てるように中間認証サーバ２に対して要求される。その結果、使用可能量が割り当てられたら、再度、要件２を満たすか否かをチェックする。そして、両方の要件を満たしていれば、そのジョブを実行してもよいと判別する。
【０１１６】
もしも、ジョブの実行過程において、次に行うべき処理の割当カウンタが「０」以下になってしまったら、その処理を実行する前に、ジョブを一時的に停止する。そして、前に述べたように、必要な使用可能量の追加の割当を使用可能量割当要求部１０３および使用可能量受信部１０４によって受けることができたら、処理を再開する。
【０１１７】
ジョブの実行が完了したら、そのジョブのジョブデータ７Ｆが待機ジョブ記憶部１２２から削除される。そのほか、ジョブが指令者によってキャンセルされた場合およびジョブの実行を認めない旨の判別がジョブ実行可否判別部１０７によってなされた場合にも、そのジョブのジョブデータ７Ｆが待機ジョブ記憶部１２２から削除される。
【０１１８】
残余使用可能量返却部１０９は、中間認証サーバ２から割り当てられた使用可能量のうち残っている使用可能量を中間認証サーバ２に返却（返還）する処理を、図１１に示すような手順で行う。
【０１１９】
残余使用可能量返却部１０９は、削除の対象となったジョブデータ７Ｆを検知すると、そのジョブデータ７Ｆに係るジョブの指令者が所属する部門をチェックする（図１１の＃１０１）。その部門のいずれかのユーザが指令したジョブのジョブデータ７Ｆが待機ジョブ記憶部１２２に残っていないかどうかをチェックする（＃１０２）。
【０１２０】
そのようなジョブデータ７Ｆが１つでも残っている場合は（＃１０３でＹｅｓ）、今回は返却する処理を行わない。
【０１２１】
一方、そのようなジョブデータ７Ｆが１つも残っていない場合は（＃１０３でＮｏ）、その部門の使用可能量を中間認証サーバ２に返却する（＃１０４）。
【０１２２】
この際に、残余使用可能量返却部１０９は、割当カウンタ記憶部１２１に記憶されているその部門の割当カウンタデータ７Ｄの各割当カウンタの現在の使用可能量を示すデータを、残余使用可能量データ８Ｂとして中間認証サーバ２に送信する。この残余使用可能量データ８Ｂには、その部門の部門ＩＤを対応付けておく。そして、その割当カウンタデータ７Ｄのすべての割当カウンタを「０」にリセットする。
【０１２３】
中間認証サーバ２の残余使用許可量受信部２０７は、画像形成装置１からの残余使用可能量データ８Ｂを受信する。そして、その残余使用可能量データ８Ｂに示される使用可能量を、全体カウンタ記憶部２１２に記憶されている、その残余使用可能量データ８Ｂに係る部門のカウンタデータ７Ｃの対応する各カウンタに加算する。つまり、画像形成装置１に割り当てたが消費されずに余ってしまった使用可能量の返却を受ける。
【０１２４】
図１２は画像形成装置１におけるユーザ認証処理、ジョブ受付処理、およびキャンセル処理の流れの例を説明するフローチャート、図１３は画像形成装置１におけるジョブ制御処理の流れの例を説明するフローチャート、図１４は中間認証サーバ２の全体的な処理の流れの例を説明するフローチャートである。
【０１２５】
次に、画像形成装置１における割当カウンタの管理の全体的な処理の流れおよび中間認証サーバ２におけるカウンタの管理の全体的な処理の流れを、図１２、図１３、および図１４のフローチャートを参照して説明する。
【０１２６】
図１２（ａ）において、画像形成装置１は、その画像形成装置１をこれから使用しようとするユーザのユーザＩＤおよびパスワードなどの入力を受け付けると（＃１１１でＹｅｓ）、そのユーザのユーザ認証を行うように中間認証サーバ２に対して要求する（＃１１２）。
【０１２７】
中間認証サーバ２による認証が得られなかったら（＃１１３でＮｏ）、ユーザＩＤおよびパスワードを入力し直すようにユーザに促す。認証が得られたら（＃１１３でＹｅｓ）、ユーザのログインを認める（＃１１４）。
【０１２８】
図１２（ｂ）において、画像形成装置１は、ジョブの実行の指令を受け付けると（＃１２１でＹｅｓ）、そのジョブのジョブデータ７Ｆを待機ジョブ記憶部１２２（図８参照）に格納する（＃１２２）。そのジョブの指令者が所属する部門の使用可能量（図９参照）が不足していれば（＃１２３でＹｅｓ）、その部門の使用可能量を割り当てるように中間認証サーバ２に対して要求する（＃１２４）。
【０１２９】
図１２（ｃ）において、画像形成装置１は、ジョブのキャンセルの操作がなされると（＃１３１でＹｅｓ）、そのジョブのジョブデータ７Ｆを待機ジョブ記憶部１２２から削除するとともに（＃１３２）、必要に応じて、そのジョブの指令者が所属する部門の使用可能量を中間認証サーバ２に返却する処理を行う（＃１３３）。係る処理の手順は、前に図１１で説明した通りである。
【０１３０】
図１３において、画像形成装置１は、ジョブを１つ処理し終えると、待機ジョブ記憶部１２２に実行待ちのジョブのジョブデータ７Ｆが格納されていれば（＃１４１）、その実行待ちのジョブおよびそのジョブデータ７Ｆに注目する（＃１４２）。実行待ちのジョブのジョブデータ７Ｆが複数格納されている場合は、最古のものに注目する。そして、注目したジョブを、次に説明するように処理する。または、空の状態の待機ジョブ記憶部１２２に新たなジョブのジョブデータ７Ｆが格納されたら、それに注目し、次に説明するように処理する。
【０１３１】
注目したそのジョブの実行のために必要なアクセス権を、そのジョブの指令者が有しているか否かを中間認証サーバ２に問い合わせる（＃１４３）。この問合せと前後してまたは並行して、そのジョブを実行するのに必要な分の使用可能量を有するか否かをチェックする（＃１４４）。ここでは、指令者の所属する部門の使用可能量がチェックの対象となる。
【０１３２】
使用可能量が不足している場合は（＃１４５でＹｅｓ）、その部門の使用可能量を割り当てるように中間認証サーバ２に対して要求する（＃１４６）。そして、再度、必要な分の使用可能量の有無をチェックする（＃１４７）。
【０１３３】
必要なアクセス権および使用可能量の両方を有する場合は（＃１４８でＹｅｓ）、そのジョブを実行する（＃１４９）。この際に、そのジョブに含まれる各処理に対応する割当カウンタを、使用量の分だけカウントダウンする（＃１５０）。
【０１３４】
そして、そのジョブのジョブデータ７Ｆを待機ジョブ記憶部１２２から削除するとともに（＃１５１）、必要に応じて、そのジョブの指令者が所属する部門の使用可能量を中間認証サーバ２に返却する処理を行う（＃１５２）。係る処理の手順は、前に図１１で説明した通りである。
【０１３５】
一方、必要なアクセス権および使用可能量のうちのいずれか一方でも欠けている場合は（＃１４８でＮｏ）、そのジョブの実行を拒否し、そのジョブのジョブデータ７Ｆを待機ジョブ記憶部１２２から削除（破棄）する（＃１５１）。そして、必要に応じて、そのジョブの指令者が所属する部門の使用可能量を中間認証サーバ２に返却する処理を行う（＃１５２）。
【０１３６】
画像形成装置１は、図１２（ａ）〜（ｃ）および図１３の処理を、サービスを停止するまでの間、適宜、実行する。
【０１３７】
図１４において、中間認証サーバ２は、画像形成装置１から何らかのデータを受信すると（＃２１）、そのデータの種類に応じて、次のような処理を実行する。
【０１３８】
ユーザＩＤおよびパスワードを受信した場合つまりユーザ認証の要求を受け付けた場合は（＃２２でＹｅｓ）、ユーザ認証を汎用認証サーバ３に実行させ（＃２３）、その結果を要求元の画像形成装置１に回答する（＃２４）。
【０１３９】
使用可能量の割当の要求に係るデータを受信した場合は（＃２５でＹｅｓ）、要求元の画像形成装置１に対応する割当規定量データ７Ｅ（図１０参照）に示される割当量をチェックし（＃２６）、その画像形成装置１のユーザの所属する部門のカウンタデータ７Ｃに蓄積されている使用可能量から、チェックした割当量分の使用可能量を、その画像形成装置１に対して割り当てる（＃２７）。
【０１４０】
アクセス権の問合せに関するデータを受信した場合は（＃２８でＹｅｓ）、問合せ元の画像形成装置１のユーザのアクセス権（図５参照）をチェックし（＃２９）、その結果を回答する（＃３０）。
【０１４１】
残余使用可能量データ８Ｂを受信した場合は（＃３１でＹｅｓ）、それに示される使用可能量つまり余った使用可能量を、元のカウンタデータ７Ｃのカウンタに加算する（＃３２）。
【０１４２】
中間認証サーバ２は、これらの処理を、サービスを停止するまでの間、適宜、実行する。
【０１４３】
図１５および図１６は使用可能量の割当および返却の際の画像形成装置１Ａおよび中間認証サーバ２の処理の流れの例を説明するフローチャートである。
【０１４４】
次に、様々な部門のユーザによって使用される画像形成装置１Ａにおいて、ある部門Ｋの使用可能量がどのように取り扱われるのかを、図１５および図１６のフローチャートを参照しながら説明する。
【０１４５】
現在、画像形成装置１Ａの待機ジョブ記憶部１２２には、実行待ちのジョブのジョブデータ７Ｆが１つも蓄積されていない。部門Ｋの割当カウンタデータ７Ｄの各割当カウンタには初期値の「０」が格納されている。中間認証サーバ２には、部門Ｋのカウンタデータ７Ｃとして、使用可能量Ｎを示すデータが記憶されている。
【０１４６】
ただし、
使用可能量Ｎ＝（ｎ１，ｎ２，…，ｎ２９）
であり、ｎ１，ｎ２，…，ｎ２９の各要素は、それぞれ、図７の［NumberOfOriginals］、［NumberOfPrints］、…、［B&W Total］の処理の使用可能量を示す。後に示す使用可能量Ｘに含まれる各要素についても同様である。
【０１４７】
画像形成装置１Ａは、ログインしているユーザのパーソナルコンピュータ４からプリントジョブ（ＰＣプリントのジョブ）の実行指令を受け付けると（図１５の＃１６１）、そのジョブのジョブデータ７Ｆを待機ジョブ記憶部１２２（キュー）に格納する（＃１６２）。以下、ステップ＃１６１で受け付けたジョブを「ジョブＪ１」と記載する。
【０１４８】
キューへのジョブデータ７Ｆの格納と前後してまたは並行して、ジョブＪ１の実行のためのアクセス権を、ジョブＪ１の指令者が有しているか否かを、中間認証サーバ２に対して問い合わせる（＃１６３）。
【０１４９】
中間認証サーバ２は、その問合せを受け付けると（＃２６１）、そのユーザのアクセス権データ７Ｂ（図１６参照）に基づいてそのユーザがアクセス権を有していることをチェックし（＃２６２）、その結果を画像形成装置１Ａに回答する（＃２６３）。画像形成装置１Ａは、回答を受信する（＃１６４）。
【０１５０】
現在、画像形成装置１ＡのキューにはジョブＪ１のジョブデータ７Ｆしか格納されていないので、すぐにジョブＪ１に実行順が回ってくる（＃１６５）。
【０１５１】
すると、画像形成装置１Ａは、ジョブＪ１を実行するのに必要な使用可能量が部門Ｋの割当カウンタデータ７Ｄの割当カウンタに残っているか否かをチェックする（＃１６６）。ここでは、前述の通り、割当カウンタは空である。
【０１５２】
そこで、画像形成装置１Ａは、部門Ｋの使用可能量を画像形成装置１Ａに割り当てるように中間認証サーバ２に対して要求する（＃１６７）。
【０１５３】
中間認証サーバ２は、その要求を受け付けると（＃２６４）、部門Ｋの使用可能量を所定の量だけ画像形成装置１Ａに割り当てる（＃２６５）。以下、ステップ＃２６５で画像形成装置１Ａに割り当てた使用可能量を「使用可能量Ｘ」と記載する。このとき、部門Ｋのカウンタデータ７Ｃから使用可能量Ｘを減算しておく（＃２６６）。
【０１５４】
画像形成装置１Ａは、使用可能量Ｘの割当を受け付けると（＃１６８）、部門Ｋの割当カウンタデータ７Ｄに使用可能量Ｘを加算する（＃１６９）。割当カウンタデータ７Ｄの各割当カウンタはすべて「０」だったので、ここでは、割当カウンタデータ７Ｄは使用可能量Ｘを示すようになる。
【０１５５】
アクセス権および使用可能量の条件を満たしていれば、ジョブＪ１の実行を開始する（＃１７０）。
【０１５６】
なお、アクセス権の有無の問合せは、上述の通りジョブＪ１の実行指令を受け付けて直ちに行ってもよいし、ジョブＪ１の実行順が回ってきてから行ってもよい。また、ユーザ認証の処理は、ジョブＪ１の実行を実行する前に行えば、いつ行っても構わない。例えば、ジョブＪ１の実行指令を受け付けるときに行ってもよいし、受け付ける前に行ってもよい。後に説明するジョブＪ２についても、同様である。
【０１５７】
画像形成装置１Ａは、ジョブＪ１の実行中または実行前に、部門Ｋのユーザから新たなジョブ（以下、「ジョブＪ２」と記載する。）を受け付けると（＃１７１）、ジョブＪ２のジョブデータ７Ｆをキューに格納するとともに（図１６の＃１７２）、ジョブＪ２の実行のためのアクセス権がジョブＪ２の指令者に与えられているか否かを中間認証サーバ２に対して問い合わせ、その回答を得る（＃１７３、＃１７４）。
【０１５８】
中間認証サーバ２は、図１５のステップ＃２６１〜＃２６３の場合と同様に、問合せに対して回答する（＃２６７〜＃２６９）。
【０１５９】
ジョブＪ１が完了すると（＃１７５）、ジョブＪ１のジョブデータ７Ｆをキューから削除する（＃１７６）。また、ジョブＪ１の処理量つまり画像形成装置１Ａの使用量を、部門Ｋの割当カウンタデータ７Ｄの使用可能量から減算する（＃１７７）。以下、ジョブＪ１に係る使用量を「使用量Ｙ」と記載する。
【０１６０】
ただし、
使用量Ｙ＝（ｙ１，ｙ２，…，ｙ２９）
であり、ｙ１，ｙ２，…，ｙ２９の各要素は、それぞれ、［NumberOfOriginals］、［NumberOfPrints］、…、［B&W Total］の処理の使用量を示す。後に示す使用量Ｚに含まれる各要素についても同様である。
【０１６１】
図１１および図１３で説明したように、ジョブが完了したら、そのジョブの指令者が所属する部門の使用可能量を中間認証サーバ２に返却する場合がある。しかし、ここでは、部門Ｋの実行待ちのジョブつまりジョブＪ２が残っているので、返却は行わない。
【０１６２】
画像形成装置１Ａは、ジョブＪ２の実行順が回ってきたら（＃１７８）、ジョブＪ２を実行するのに必要な使用可能量が部門Ｋの割当カウンタデータ７Ｄの割当カウンタに残っていることを確認する（＃１７９）。
【０１６３】
アクセス権および使用可能量の条件を満たしていれば、ジョブＪ２の実行を開始する（＃１８０）。
【０１６４】
ジョブＪ２が完了すると（＃１８１）、ジョブＪ２のジョブデータ７Ｆをキューから削除する（＃１８２）。また、ジョブＪ２の処理量つまり画像形成装置１Ａの使用量を、部門Ｋの割当カウンタデータ７Ｄの使用可能量から減算する（＃１８３）。以下、ジョブＪ２に係る使用量を「使用量Ｚ」と記載する。
【０１６５】
キューには、部門Ｋに所属するユーザが指令したジョブのジョブデータ７Ｆは、１つも残っていない。そこで、画像形成装置１Ａは、部門Ｋの現在の割当カウンタデータ７Ｄに示される使用可能量つまり消費されずに残った使用可能量を中間認証サーバ２に返却する（＃１８４）。このとき、割当カウンタデータ７Ｄはリセットされ、すべての割当カウンタ（要素）の値が「０」に戻る（＃１８５）。なお、他の部門に所属するユーザが指令した実行待ちのジョブの存否は問わない。
【０１６６】
中間認証サーバ２は、画像形成装置１Ａから部門Ｋの使用可能量の返却を受け付けると（＃２７０）、部門Ｋのカウンタデータ７Ｃに、その使用可能量を加算する（＃２７１）。
【０１６７】
本実施形態によると、実行待ちのジョブがなくなった部門の使用可能量を画像形成装置１から中間認証サーバ２に返却させた。つまり、次にその部門のユーザから指令がなされるまで必要でなくなった使用可能量を返却させた。この方法は、１つのジョブごとにまたは１つのステップの処理ごとに逐一報告を行わせる方法に比べて、画像形成装置１および中間認証サーバ２の処理の回数を減らすことができる。しかも、画像形成装置１は、使用可能量の範囲内でのみ、使用（ジョブの実行）を認める。
【０１６８】
したがって、本実施形態によると、画像形成装置１および中間認証サーバ２の処理の負担を増加させることなく、画像形成装置１の使用の制限を厳密に行うことができる。
【０１６９】
本実施形態では、図１１で説明したように、画像形成装置１は、ある部門の実行待ちのジョブがなくなったら、直ちにその部門の使用可能量を中間認証サーバ２に返却した。しかし、その後すぐに、その部門のユーザがその画像形成装置１に再度ログインし、画像形成装置１を使用することがあり得る。
【０１７０】
そこで、直ちには返却せず、その後所定の時間が経過するまでにその部門のユーザがその画像形成装置１にログインしまたはジョブの実行を指令しなければ、返却するようにしてもよい。
【０１７１】
一般的に、ユーザは、ジョブの実行によって出来上がった複写物または印刷物を確認し、自分の思った通りの仕上がりでなかったり部数が不足していたりすることに気付くと、そのジョブの完了後数分以内に再指令することが、多い。そこで、その所定の時間を、数分（例えば、１〜１０分）程度に設定してもよい。
【０１７２】
画像形成装置１は、紙詰まり、トナー切れ、または用紙切れなどのエラーが原因でジョブの実行が不能になった場合は、すべての使用可能量を一旦、中間認証サーバ２に返却してもよい。この場合は、エラーが解消しジョブの実行が可能になったら、再度、割当を受ければよい。
【０１７３】
本実施形態では、汎用認証サーバ３でユーザ認証を行うユーザアカウントを用いた場合を例に説明したが、画像形成装置１自身がユーザ認証を行うユーザアカウントつまりローカルなユーザアカウント（例えば、臨時に画像形成装置１を使用するゲスト用のパブリックユーザアカウント、画像形成装置１の全体的な管理を行う管理者アカウント、またはボックスの管理を行うボックス管理者アカウントなど）を用いた場合にも、本発明を適用することができる。
【０１７４】
または、部門のメンバが共通で使用するユーザアカウント（いわゆるグループアカウント）によってユーザがログインする場合にも、本発明を適用することができる。
【０１７５】
本実施形態では、説明の簡単のため、片面コピーなどの場合を例に説明したが、特殊なコピーの機能を有する画像形成装置１にも、本発明を適用することができる。この場合の、使用可能量の消費の規則は、任意に決めることができる。例えば、両面コピーの場合は、消費する用紙の枚数に合わせて、１枚の複写物につき「１」だけ消費させるようにしてもよいし、１枚の複写物が２ページ分のコピーである点に鑑みて「２」だけ消費させるようにしてもよい。２ｉｎ１コピーの場合も同様に、複写物の枚数に応じて使用可能量を消費させてもよいし、コピーしたページ数に応じて使用可能量を消費させてもよい。
【０１７６】
画像形成装置１は、ユーザが指令したジョブの情報を表示する際に、使用可能量の割当を中間認証サーバ２から受けるのを待っている場合と既に割当を受けた場合とで、表示の形態を異なるようにしてもよい。
【０１７７】
その他、画像処理システムＧＳＳ、画像形成装置１、中間認証サーバ２の全体または各部の構成、処理内容、処理順序、データベースの構成などは、本発明の趣旨に沿って適宜変更することができる。
【図面の簡単な説明】
【０１７８】
【図１】画像処理システムの全体的な構成の例を示す図である。
【図２】画像形成装置のハードウェア構成の例を示す図である。
【図３】画像形成装置の機能的構成の例を示す図である。
【図４】中間認証サーバの機能的構成の例を示す図である。
【図５】ユーザアカウントデータベースの例を示す図である。
【図６】アクセス権データの例を示す図である。
【図７】カウンタデータの例を示す図である。
【図８】ジョブデータの例を示す図である。
【図９】割当カウンタデータの例を示す図である。
【図１０】割当規定量データの例を示す図である。
【図１１】カウンタ値返却処理の流れの例を説明するフローチャートである。
【図１２】画像形成装置におけるユーザ認証処理、ジョブ受付処理、およびキャンセル処理の流れの例を説明するフローチャートである。
【図１３】画像形成装置におけるジョブ制御処理の流れの例を説明するフローチャートである。
【図１４】中間認証サーバの全体的な処理の流れの例を説明するフローチャートである。
【図１５】使用可能量の割当および返却の際の画像形成装置および中間認証サーバの処理の流れの例を説明するフローチャートである。
【図１６】使用可能量の割当および返却の際の画像形成装置および中間認証サーバの処理の流れの例を説明するフローチャートである。
【符号の説明】
【０１７９】
ＧＳＳ  画像処理システム
１  画像形成装置
１０８  ジョブ実行制御部（ジョブ実行手段）
１０９  残余使用可能量返却部（未消費割当使用可能量返却手段）
１２２  待機ジョブ記憶部
１０ｆ  スキャナユニット（ジョブ実行手段）
１０ｇ  印刷ユニット（ジョブ実行手段）
１０ｈ  ＮＩＣ（ジョブ実行手段）
１０ｉ  モデム（ジョブ実行手段）
２  中間認証サーバ（サーバ）
２０５  使用可能量割当部（使用可能量割当手段）
２１２  全体カウンタ記憶部（使用可能量記憶手段）
７Ｃ  カウンタデータ
８Ａ  使用可能量割当データ
８Ｂ  残余使用可能量データ
【図１】
2008140068.tif 000003
【図２】
2008140068.tif 000004
【図３】
2008140068.tif 000005
【図４】
2008140068.tif 000006
【図５】
2008140068.tif 000007
【図６】
2008140068.tif 000008
【図７】
2008140068.tif 000009
【図８】
2008140068.tif 000010
【図９】
2008140068.tif 000011
【図１０】
2008140068.tif 000012
【図１１】
2008140068.tif 000013
【図１２】
2008140068.tif 000014
【図１３】
2008140068.tif 000015
【図１４】
2008140068.tif 000016
【図１５】
2008140068.tif 000017
【図１６】
2008140068.tif 000018